(57)【要約】【課題】長期間使用した場合でもうねりの発生を抑制することができる移動用ケーブルを提供する。【解決手段】移動用ケーブル１は、複数の絶縁線心１０、１０、１０、１０と、これら複数の絶縁線心１０、１０、１０、１０を覆うように設けられたシース３０と、帯板状の隔壁部分２１、２１、２１、２１を複数有する介在２０と、を備え、隔壁部分２１における幅方向に相対する一対の縁部２１ａ、２１ｂが、それぞれ他の隔壁部分２１又はシース３０に接合され、各絶縁線心１０が、複数の隔壁部分２１及びシース３０によって囲われている。【選択図】図１
2014086165.tif 000002
【特許請求の範囲】
【請求項１】
３以上の複数の絶縁線心と、前記複数の絶縁線心を覆うように設けられたシースと、を備えたケーブルにおいて、
帯板状の隔壁部分を複数有する介在をさらに備え、
前記隔壁部分における幅方向に相対する一対の縁部が、それぞれ他の前記隔壁部分又は前記シースのいずれか一方に接合され、
１又は複数の絶縁線心が、複数の前記隔壁部分及び前記シースによって囲われている
ことを特徴とするケーブル。
【請求項２】
前記全ての隔壁部分における前記一対の縁部のうちの一方の縁部が、互いに接合され、
前記全ての隔壁部分における前記一対の縁部のうちの他方の縁部が、前記シースと接合されていることを特徴とする請求項１に記載のケーブル。
【請求項３】
前記絶縁線心が、前記隔壁部分及び前記シースに接して配置されていることを特徴とする請求項１又は２に記載のケーブル。
【発明の詳細な説明】
【技術分野】
【０００１】
本発明は、複数の絶縁線心と、これら複数の絶縁線心を覆うように設けられたシースと、を備えたケーブルに関するものである。
【背景技術】
【０００２】
従来、このようなケーブルとして、例えば、特許文献１に開示されたものがある。図５に、特許文献１に記載されている移動用ケーブルの断面図を示す。図５に示すように、特許文献１の移動用ケーブル（図中、符号８０１で示す）は、３本の電力用絶縁線心８０２、８０２、８０２、２本の制御用絶縁線心８０３、８０３及び１本の接地用絶縁線心８０４を撚り合わせてなる撚り合わせ線心８０５と、撚り合わせ線心８０５に巻き付けられたテープ巻き層８０６と、テープ巻き層８０６の上に設けられたシース８０７と、を備えている。
【０００３】
しかしながら、このような移動用ケーブル８０１は、撚り合わせ線心８０５（即ち、各絶縁線心）とテープ巻き層８０６との間に空間Ａが形成されているため、移動用ケーブル８０１のケーブルドラムへの巻き取りや引き出しなどにより曲げやねじりなどの外力が加えられると、絶縁線心が空間Ａ内を移動し互いの位置関係が変動するなどして、図６に示すように、移動用ケーブル８０１にうねりが生じてしまうことがあった。そこで、テープ巻き層を設けず、シースで撚り合わせ線心を直接被覆して、空間Ａをなくした構成の移動用ケーブルが提案されている。このような、移動用ケーブルを図７、図８に示す。
【０００４】
図７に示す移動用ケーブル（図中、符号９０１で示す）は、複数の絶縁線心９０２、９０２、９０２、９０２と、これらを直接被覆するシース９０７と、複数の絶縁線心９０２、９０２、９０２、９０２によって形成された空間Ｂ内に配設された断面円形の介在９０８と、を備えている。また、図８に示す移動用ケーブル（図中、符号９０１Ａで示す）は、図７の移動用ケーブル９０１の構成において、介在９０８に代えて空間Ｂに隙間無く充填するように設けられた介在９０８Ａを備えている。これら移動用ケーブル９０１及び移動用ケーブル９０１Ａによれば、シース９０７及び介在９０８、９０８Ａによって移動用ケーブル内の上記空間Ａ、Ｂを埋めて又は小さくして、曲げやねじりなどの外力による絶縁線心の移動を抑制していた。
【先行技術文献】
【特許文献】
【０００５】
【特許文献１】特公平６−４４４１８号公報
【発明の概要】
【発明が解決しようとする課題】
【０００６】
しかしながら、このような移動用ケーブル９０１では、介在９０８を構成する材料として、例えば、ポリプロピレン（ＰＰ）などからなる解織紙などを所定形状に固めたものなどが用いられているので、移動用ケーブル９０１の使用初期においては絶縁線心の移動を抑制することができるが、長期間の使用により繰り返し曲げやねじりなどの外力が加えられると、介在９０８が変形してしまい、そのため、絶縁線心が偏ったり変形したりして、移動用ケーブル９０１にうねりが生じてしまうという問題があった。また、上述した移動用ケーブル９０１Ａにおいても同様であった。
【０００７】
本発明は、かかる問題を解決することを目的としている。即ち、本発明は、長期間使用した場合でもうねりの発生を抑制することができるケーブルを提供することを目的としている。
【課題を解決するための手段】
【０００８】
請求項１に記載された発明は、上記目的を達成するために、３以上の複数の絶縁線心と、前記複数の絶縁線心を覆うように設けられたシースと、を備えたケーブルにおいて、帯板状の隔壁部分を複数有する介在をさらに備え、前記隔壁部分における幅方向に相対する一対の縁部が、それぞれ他の前記隔壁部分又は前記シースのいずれか一方に接合され、１又は複数の絶縁線心が、複数の前記隔壁部分及び前記シースによって囲われていることを特徴とするケーブルである。
【０００９】
請求項２に記載された発明は、請求項１に記載された発明において、前記全ての隔壁部分における前記一対の縁部のうちの一方の縁部が、互いに接合され、前記全ての隔壁部分における前記一対の縁部のうちの他方の縁部が、前記シースと接合されていることを特徴とするものである。
【００１０】
請求項３に記載された発明は、請求項１又は２に記載された発明において、前記絶縁線心が、前記隔壁部分及び前記シースに接して配置されていることを特徴とするものである。
【発明の効果】
【００１１】
請求項１に記載された発明によれば、３以上の複数の絶縁線心と、これら複数の絶縁線心を覆うように設けられたシースと、を備えたケーブルにおいて、帯板状の隔壁部分を複数有する介在をさらに備え、隔壁部分における幅方向に相対する一対の縁部が、それぞれ他の隔壁部分又はシースのいずれか一方に接合され、１又は複数の絶縁線心が、複数の隔壁部分及び前記シースによって囲われている。つまり、帯板状に形成された隔壁部分の一対の縁部がそれぞれ他の隔壁部分又はシースのいずれか一方に接合されることによって隔壁部分が固定され、そのため、ケーブルが曲げ伸ばしなどされた場合でも、複数の隔壁部分及びシースによって囲われた空間内に配設された１又は複数の絶縁線心が当該空間内に位置づけられて、他の空間内に配設された他の絶縁線心と交わることがなく互いの位置関係を維持することができ、これにより、長期間使用した場合にもうねりの発生を抑制することができる。
【００１２】
請求項２に記載された発明によれば、全ての隔壁部分における幅方向に相対する一対の縁部のうちの一方の縁部が、互いに接合され、全ての隔壁部分における幅方向に相対する一対の縁部のうちの他方の縁部が、シースと接合されているので、介在の断面形状が放射状形状となり、そのため、隔壁部分の幅方向がケーブルの半径方向、即ち、ケーブルの曲げ方向と平行になってケーブルの曲げに対する剛性が高まり、これにより、ケーブルが曲げにくくなり必要以上に曲がることを防いで、キンクの発生を抑制することができる。
【００１３】
請求項３に記載された発明によれば、絶縁線心が、隔壁部分及びシースに接して配置されているので、絶縁線心が、隔壁部分及びシースによって支持されて複数の隔壁部分及びシースによって囲われた空間内での移動を規制され、そのため、複数の絶縁線心が互いの位置関係をより一層維持することができ、これにより、長期間使用した場合にもうねりの発生をさらに抑制することができる。
【図面の簡単な説明】
【００１４】
【図１】本発明の一実施形態の移動用ケーブルの断面図である。
【図２】図１の移動用ケーブルの第１の変形例の構成（絶縁線心が３本）を示す断面図である。
【図３】図１の移動用ケーブルの第２の変形例の構成を（隔壁部分の幅が不均一）示す断面図である。
【図４】図１の移動用ケーブルの第３の変形例の構成を（一部の空間内に複数の絶縁線心を収容）示す断面図である。
【図５】従来の移動用ケーブルの断面図である。
【図６】図５の移動用ケーブルにおいてうねりが生じた状態を示す斜視図である。
【図７】従来の他の移動用ケーブルの断面図である。
【図８】図７の移動用ケーブルの変形例の構成を示す断面図である。
【発明を実施するための形態】
【００１５】
以下、本発明の一実施形態のケーブルとしての移動用ケーブルについて、図１を参照して説明する。ここで移動用ケーブルとは、家屋などの固定配線に用いられる固定用途のケーブルとは異なり、通常使用において巻き取り、引き出し及び屈曲などされる非固定用途のケーブルのことである。図１は、本発明の一実施形態の移動用ケーブルの断面図である。
【００１６】
図１に示すように、移動用ケーブル（図中、符号１で示す）は、複数の絶縁線心１０、１０、１０、１０と、介在２０と、シース３０と、を備えている。
【００１７】
複数の絶縁線心１０、１０、１０、１０は、それぞれ銅やアルミニウムなどからなる導線と該導線を絶縁被覆するポリ塩化ビニル（ＰＶＣ）などからなる被覆部材とで構成された被覆電線である。本実施形態において、移動用ケーブル１には、長さ及び外径が同一の複数の絶縁線心１０、１０、１０、１０が４本設けられている。勿論、複数の絶縁線心の本数は４本に限らず、各絶縁線心間に空間が生じる３本以上であれば、その本数は任意である。また、複数の絶縁線心の外径は、全て同一でなくてもよい。複数の絶縁線心１０、１０、１０、１０は、例えば、電力供給線、アース線、コントロールパイロット線等として用いられる。
【００１８】
介在２０は、例えば、ポリアミド（ナイロン（登録商標））などの合成樹脂を材料として構成されており、複数の隔壁部分２１、２１、２１、２１を有している。複数の隔壁部分２１、２１、２１、２１は、絶縁線心１０と同一の長さの帯板状に形成されている。本実施形態において、介在２０は４つの隔壁部分２１、２１、２１、２１を有し、これら複数の隔壁部分２１、２１、２１、２１は、長さが同一で、幅が同一に形成されている。また、複数の隔壁部分２１、２１、２１、２１の幅は、複数の絶縁線心１０、１０、１０、１０の外径と同一、または、若干大きくされている。
【００１９】
本実施形態において、複数の隔壁部分２１、２１、２１、２１は、幅方向に相対する一対の縁部のうちの一方の縁部２１ａが、その長さ方向全体にわたって互いに接合されている。これにより、複数の隔壁部分２１、２１、２１、２１は互いに一体となって固定され、介在２０は、その断面が放射状形状（本実施形態においては、十字形状）になる。
【００２０】
また、複数の隔壁部分２１、２１、２１、２１は、幅方向に相対する一対の縁部のうちの他方の縁部２１ｂが、その長さ方向全体にわたって後述するシース３０に接合されている。
【００２１】
互いに隣接する隔壁部分２１、２１間には、これら隔壁部分２１、２１に接するようにして１つの絶縁線心１０が配置されている。つまり、複数の隔壁部分２１、２１、２１、２１は、複数の絶縁線心１０、１０、１０、１０間を仕切るように各絶縁線心１０、１０、１０、１０の長さ方向全体にわたって延設されている。換言すると、複数の隔壁部分２１、２１、２１、２１は、複数の絶縁線心１０、１０、１０、１０間に配置され、複数の隔壁部分２１、２１、２１、２１のそれぞれにおける互いに接合された一方の縁部２１ａが、複数の絶縁線心１０、１０、１０、１０で囲われた空間内に配置されている。
【００２２】
複数の絶縁線心１０、１０、１０、１０及び介在２０は、複数の絶縁線心１０、１０、１０、１０のそれぞれが互いに隣接する隔壁部分２１、２１の間に配置された状態で互いに撚り合わされて、撚り合わせ体２５を構成している。
【００２３】
シース３０は、例えば、塩化ビニルなどの合成樹脂からなる、可撓性チューブ状の絶縁被覆である。シース３０は、複数の絶縁線心１０、１０、１０、１０及び介在２０と同一の長さに形成されており、その内側に複数の絶縁線心１０、１０、１０、１０及び介在２０からなる撚り合わせ体２５を収容している。
【００２４】
シース３０は、その内面が複数の絶縁線心１０、１０、１０、１０に密に重なるように設けられている。つまり、シース３０は、複数の絶縁線心１０、１０、１０、１０を直接（即ち、間隔をあけずに）被覆しており、複数の絶縁線心１０、１０、１０、１０は、隔壁部分１２及びシース３０に接して配置されている。また、シース３０は、介在２０の複数の隔壁部分２１、２１、２１、２１のそれぞれにおける他方の縁部２１ｂに接合して設けられている。本実施形態においては、シース３０が、複数の隔壁部分２１、２１、２１、２１のそれぞれの他方の縁部２１ｂを包むように設けられている。これにより、複数の隔壁部分２１、２１、２１、２１のそれぞれの他方の縁部２１ｂが、シース３０と接合されて固定されている。
【００２５】
移動用ケーブル１では、図１に示すように、１本の絶縁芯線１０が、互いに隣接する２つの隔壁部分２１、２１及びシース３０で囲われている。換言すると、互いに隣接する２つの隔壁部分２１、２１及びシース３０で囲われた空間（図中、符号Ｋで示す）内に１本の絶縁芯線１０が配置されている。
【００２６】
上述した移動用ケーブル１の製造方法の一例を以下に示す。
【００２７】
（１）まず、介在２０の備える複数の隔壁部分２１、２１、２１、２１間に複数の絶縁線心１０、１０、１０、１０を配置するととともに互いに撚り合わせることにより、介在２０及び複数の絶縁線心１０、１０、１０、１０からなる撚り合わせ体２５を作製する。
【００２８】
（２）次に、押出ダイの中央に設けられた引出孔から撚り合わせ体２５を引き出しながら、当該引出孔の周囲に設けられた環状の樹脂吐出孔から当該撚り合わせ体２５の周囲を覆うように、シース３０となる塩化ビニルなどの合成樹脂を押し出して押出成形する。
【００２９】
（３）そして、この押出成形により、押し出された合成樹脂が複数の絶縁線心１０、１０、１０、１０に密に重ねられてそれらを直接被覆するとともに、複数の隔壁部分２１、２１、２１、２１のそれぞれの他方の端部２１ｂを覆い、その後、合成樹脂が硬化してシース３０を形成することで当該シース３０と他方の端部２１とが接合される。これら工程を経て、移動用ケーブル１が得られる。
【００３０】
以上説明したように、本実施形態によれば、４本の複数の絶縁線心１０、１０、１０、１０と、これら複数の絶縁線心１０、１０、１０、１０を覆うように設けられたシース３０と、を備えた移動用ケーブル１において、帯板状の隔壁部分２１、２１、２１、２１を複数有する介在２０をさらに備え、隔壁部分２１における幅方向に相対する一対の縁部２１ａ、２１ｂが、それぞれ他の隔壁部分２１又はシース３０のいずれか一方に接合され、各絶縁線心１０が、複数の隔壁部分２１及びシース３０によって囲われている。つまり、帯板状に形成された隔壁部分２１の一対の縁部２１ａ、２１ｂがそれぞれ他の隔壁部分２１又はシース３０のいずれか一方に接合されることによって隔壁部分２１が固定され、そのため、ケーブル１が曲げ伸ばしなどされた場合でも、複数の隔壁部分２１及びシース３０によって囲われた空間Ｋ内に配設された１本の絶縁線心１０が当該空間Ｋ内に位置づけられて、他の空間Ｋ内に配設された絶縁線心１０と交わることがなく互いの位置関係を維持することができ、これにより、長期間使用した場合にもうねりの発生を抑制することができる。
【００３１】
また、全ての隔壁部分２１、２１、２１、２１における幅方向に相対する一対の縁部２１ａ、２１ｂのうちの一方の縁部２１ａが、互いに接合され、全ての隔壁部分２１、２１、２１、２１における幅方向に相対する一対の縁部２１ａ、２１ｂのうちの他方の縁部２１ｂが、シース３０と接合されているので、介在２０の断面形状が放射状形状（十字形状）となり、そのため、隔壁部分２１の幅方向が移動用ケーブル１の半径方向、即ち、移動用ケーブル１の曲げ方向と平行になって移動用ケーブル１の曲げに対する剛性が高まり、これにより、移動用ケーブル１が曲げにくくなり必要以上に曲がることを防いで、キンクの発生を抑制することができる。
【００３２】
また、絶縁線心１０、１０、１０、１０が、隔壁部分２１及びシース３０に接して配置されているので、絶縁線心１０、１０、１０、１０が、隔壁部分２１及びシース３０によって支持されて複数の隔壁部分２１、２１及びシース３０によって囲われた空間Ｋ内での移動を規制され、そのため、複数の絶縁線心１０、１０、１０、１０が互いの位置関係をより一層維持することができ、これにより、長期間使用した場合にもうねりの発生をさらに抑制することができる。
【００３３】
以上、本発明について、好ましい実施形態を挙げて説明したが、本発明のケーブルは上記実施形態の構成に限定されるものではない。
【００３４】
例えば、上述した実施形態では、４本の絶縁線心１０、１０、１０、１０を備えた構成であったが、これに限定されるものではなく、例えば、図２に示すように、３本の絶縁線心１０、１０、１０を備えた構成の移動用ケーブル１Ａであってもよい。図２は、図１の移動用ケーブルの第１の変形例の構成（絶縁線心が３本）を示す断面図である。この場合、４つの隔壁部分２１、２１、２１、２１を有する介在２０に代えて、３つの隔壁部分２１、２１、２１を有する介在２０Ａによって複数の絶縁線心１０、１０、１０間を仕切ってなる撚り合わせ体２５Ａを有する構成となる。
【００３５】
また、上述した実施形態では、それぞれの幅が同一に形成された複数の隔壁部分２１、２１、２１、２１を有する介在２０を備えた構成であったが、これに限定されるものではない。このような介在２０に代えて、例えば、図３に示すように、互いに幅の異なる帯板状に形成された隔壁部分２１、２１及び隔壁部分２２、２２が設けられた介在２０Ｂを備えた撚り合わせ体２５Ｂを有する構成の移動用ケーブル１Ｂであってもよく、本発明の目的に反しない限り、隔壁部分の形状は互いに同一でなくてもよく、それら形状は任意である。図３は、図１の移動用ケーブルの第２の変形例の構成を（隔壁部分の幅が不均一）示す断面図である。
【００３６】
また、上述した実施形態では、互いに隣接する隔壁部分２１、２１及びシース３０で囲われた空間Ｋ内に１つの絶縁線心１０が配置された構成であったが、これに限定されるものではない。例えば、図４に示すように、６本の絶縁線心１０、１０、１０、１０、１０、１０と、４つの隔壁部分２１、２１、２１、２１を有する介在２０Ｃと、を有する撚り合わせ体２５Ｃを備え、そして、隔壁部分２１とシース３０とで囲われた一部の空間（図中、符号Ｋ１で示す）内に１本の絶縁線心１０が配置され、隔壁部分２１とシース３０とで囲われた他の一部の空間（図中、符号Ｋ２で示す）内に２本の絶縁線心１０、１０が配置された構成の移動用ケーブル１Ｃであってもよい。図４は、図１の移動用ケーブルの第３の変形例の構成を（一部の空間内に複数の絶縁線心を収容）示す断面図である。この移動用ケーブル１Ｃでは、隔壁部分２１の幅方向に相対する一対の縁部２１ａ、２１ｂが、それぞれ他の隔壁部分２１又はシース３０に接合されている。また、シース３０が、各絶縁線心１０、１０、１０、１０と密に重なりそれらを覆うように設けられている。このように、隔壁部分２１における幅方向に相対する一対の縁部２１ａ、２１ｂが、それぞれ他の隔壁部分２１又はシース３０に接合され、１又は複数の絶縁線心１０が複数の隔壁部分２１及びシース３０によって囲われている（即ち、複数の隔壁部分及びシースによって囲われた空間内に１又は複数の絶縁線心が配設されている）構成であれば、本発明の目的に反しない限り、移動用ケーブルの構成は任意である。
【００３７】
また、上述した実施形態では、移動用ケーブルの実施形態について説明するものであったが、これに限定されるものではなく、本発明を固定用途のケーブルに適用することも可能である。
【００３８】
なお、前述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明のケーブルの構成を具備する限り、勿論、本発明の範疇に含まれるものである。
【符号の説明】
【００３９】
１、１Ａ、１Ｂ、１Ｃ    移動用ケーブル（ケーブル）
１０        絶縁線心
２０、２０Ａ、２０Ｂ、２０Ｃ    介在
２１、２２        隔壁部分
２１ａ      一方の縁部
２１ｂ      他方の縁部
２５、２５Ａ、２５Ｂ、２５Ｃ    撚り合わせ体
３０        シース
【図１】
2014086165.tif 000003
【図２】
2014086165.tif 000004
【図３】
2014086165.tif 000005
【図４】
2014086165.tif 000006
【図５】
2014086165.tif 000007
【図６】
2014086165.tif 000008
【図７】
2014086165.tif 000009
【図８】
2014086165.tif 000010